(57)【要約】      （修正有）【課題】バックライトモジュールの均一性の向上及び表示装置の映像品質の向上を図る導光フィルム、バックライトモジュール及び表示装置を提供する。【解決手段】導光フィルム１００は、本体１１０及び光吸収構造層１２０を含む。本体は、出光面１１１、底面１１２及び入光面１１３を含み、底面は出光面に対向し、入光面は、出光面と底面との間に接続されている。光吸収構造層は、底面に設置され、光吸収構造層は、ベース層１２１、複数の微細構造１２２及び複数の光吸収粒子１２３を含む。各微細構造は、ベース層の表面から外方へ突起する。光吸収粒子は、少なくとも一組が各微細構造に分散されている。微細構造は、光吸収構造層の光吸収粒子の含有量が入光面から、入光面から離れる方向に沿って徐々に増加するように配置されている。【選択図】図１
0003231528.tif 000002
【実用新案登録請求の範囲】
【請求項１】
出光面と、前記出光面に対向する底面と、前記出光面と前記底面との間に接続されている入光面と、を備える本体と、
前記底面に設置され、ベース層と、前記ベース層の表面から外方へ突起する複数の微細構造と、少なくとも一組が前記微細構造に分散されている複数の光吸収粒子と、を備える光吸収構造層と、
を含み、
前記微細構造は、前記光吸収構造層の光吸収粒子の含有量が前記入光面から、前記入光面から離れる方向に沿って徐々に増加するように配置されている、
ことを特徴とする導光フィルム。
【請求項２】
前記微細構造の突起高さは、前記入光面から、前記入光面から離れる方向に沿って徐々に増加する、
ことを特徴とする請求項１に記載の導光フィルム。
【請求項３】
前記ベース層の厚さがｔであり、前記微細構造の突起高さがｈである場合、０．１≦ｈ／ｔ≦１．７の条件を満たす、
ことを特徴とする請求項1又は２に記載の導光フィルム。
【請求項４】
前記光吸収粒子は、青色光吸収粒子である、
ことを特徴とする請求項１〜３の何れか１項に記載の導光フィルム。
【請求項５】
前記微細構造の分布密度は、前記入光面から、前記入光面から離れる方向に沿って徐々に増加する、
ことを特徴とする請求項１に記載の導光フィルム。
【請求項６】
前記光吸収粒子は、さらに一組が前記ベース層に分散され、且つ、前記ベース層の厚さは、前記入光面から、前記入光面から離れる方向に沿って徐々に増加する、
ことを特徴とする請求項１〜５の何れか１項に記載の導光フィルム。
【請求項７】
光源と、
請求項１乃至６のいずれか１項に記載の導光フィルムと、
を含み、
前記光源は、前記入光面に対応して設置され、前記光源の光線は、前記入光面から前記導光フィルムへ進入した後、前記出光面から前記導光フィルムを透過する、
ことを特徴とするバックライトモジュール。
【請求項８】
請求項７に記載のバックライトモジュールと、
前記バックライトモジュールの上方に設置される表示パネルと、
を含むことを特徴とする表示装置。
【考案の詳細な説明】
【技術分野】
【０００１】
本考案は、導光フィルム、バックライトモジュール及び表示装置に関し、特に、出射光の色の均一性を向上できる導光フィルム、バックライトモジュール及び表示装置に関する。
【背景技術】
【０００２】
表示装置の軽薄化に向けた発展に伴い、バックライトモジュールにおける導光板（Ｌｉｇｈｔ  Ｇｕｉｄｉｎｇ  Ｐｌａｔｅ）は、徐々に導光フィルム（Ｌｉｇｈｔ  Ｇｕｉｄｉｎｇ  Ｆｉｌｍ）に置き換えられている。
【０００３】
導光フィルムの仕様は表示装置の軽薄化に有利であるが、如何に表示装置の出射光の色の均一性を改善するかは依然として関連業者が直面している大きな挑戦である。底面に角形状の長いストリップの構造（Ｖ−ｃｕｔ）が形成されている導光フィルムを例とすると、白色発光ダイオード（Ｌｉｇｈｔ  Ｅｍｉｔｔｉｎｇ  Ｄｉｏｄｅ，ＬＥＤ）を光源とする場合、ＬＥＤが角度による色変化（ｃｏｌｏｒ  ｏｖｅｒ  ａｎｇｌｅ，ＣＯＡ）の特性を有するため、ＬＥＤの光線が導光フィルムへ進入して底部のＶ−ｃｕｔに当たると、大角度の黄色光が最初に出射し、バックライトモジュールにおける光源に接近する一端が黄色がかる色になり、光源から離れる一端が青色がかる色になる。底面にレーザードットが形成されている導光フィルムを例とすると、導光フィルムで使用される材質が黄色光を吸収し易いため、バックライトモジュールにおける光源に接近する一端が青色がかる色になり、光源から離れる一端が黄色がかる色になり、色差が発生する。
よって、如何に導光フィルムの構造及び／又は材質を改善して、バックライトモジュールの出射光の色の均一性を向上できるかは、関連業者の目標となっている。
【考案の概要】
【０００４】
本考案は、導光フィルム及びバックライトモジュールを提供して、上記課題を解決することを目的とする。
【０００５】
本考案に係る実施形態は、本体と光吸収構造層とを含む導光フィルムを提供している。本体は、出光面、底面及び入光面を含む。底面は、出光面に対向する。入光面は、出光面と底面との間に接続されている。光吸収構造層は、底面に設置され、光吸収構造層は、ベース層、複数の微細構造及び複数の光吸収粒子を含む。各微細構造は、ベース層の表面から外方へ突起する。光吸収粒子は、少なくとも一組が各微細構造に分散されている。微細構造は、光吸収構造層の光吸収粒子の含有量が入光面から、入光面から離れる方向に沿って徐々に増加するように配置されている。
【０００６】
上記導光フィルムによると、各微細構造の突起高さは、入光面から、入光面から離れる方向に沿って徐々に増加する。
【０００７】
上記導光フィルムによると、ベース層の厚さがｔであり、微細構造の突起高さがｈである場合、０．１≦ｈ／ｔ≦１．７の条件を満たす。
【０００８】
上記導光フィルムによると、各微細構造は、角形状の長いストリップの構造（Ｖ−ｃｕｔ）又は多面体構造（Ｖｄｏｔ）であってもよい。
【０００９】
上記導光フィルムによると、各光吸収粒子は、青色光吸収粒子であってもよい。
【００１０】
上記導光フィルムによると、微細構造の分布密度は、入光面から、入光面から離れる方向に沿って徐々に増加する。
【００１１】
上記導光フィルムによると、光吸収粒子は、さらに一組がベース層に分散され、且つ、ベース層の厚さは、入光面から、入光面から離れる方向に沿って徐々に増加する。
【００１２】
本考案に係る他の実施形態は、光源及び上記導光フィルムを含み、光源が入光面に対応して設置され、光源の光線が入光面から導光フィルムへ進入した後、出光面から導光フィルムを透過するバック
ライトモジュールを提供している。
【００１３】
上記バックライトモジュールによると、光源は、白色発光ダイオードであってもよい。
【００１４】
本考案に係る別の実施形態は、上記バックライトモジュールとバックライトモジュールの上方に設置される表示パネルとを含む表示装置を提供している。
【００１５】
従来技術と比較して、本考案の導光フィルムは、微細構造及び光吸収粒子の配置関係により、バックライトモジュールに応用される場合、バックライトモジュールの出射光の色の均一性の向上に有利であり、さらに表示装置の映像品質を向上することが可能である。
【図面の簡単な説明】
【００１６】
【図１】図１は、本考案の第１の実施形態に係る導光フィルムの斜視図である。
【図２】図２は、本考案の第２の実施形態に係る導光フィルムの斜視図である。
【図３】図３は、本考案の第３の実施形態に係る導光フィルムの斜視図である。
【図４】図４は、本考案の第４の実施形態に係る導光フィルムの斜視図である。
【図５】図５は、本考案の第５の実施形態に係るバックライトモジュールの斜視図である。
【図６】図６は、本考案の第６の実施形態に係る表示装置の斜視図である。
【図７】図７は、導光フィルムの微細構造の突起高さとベース層の厚さを異なる比率で示した色差変化図である。
【考案を実施するための形態】
【００１７】
本考案の前述及び他の技術的内容、特徴と効果は、添付の図面を参照して、好ましい実施形態の以下の詳細な説明において明確に提示される。以下の実施形態で言及される例えば、上、下、左、右、前、後、下、上等のような方向の用語は、図面を参照する方向だけである。よって、使用される方向の用語は説明のためのものであり、本考案を制限するためのものではない。また、以下の実施形態において、同じ又は類似の構成要素は、同じ又は類似の符号を使用する。
【００１８】
本考案において、二つの部材が実質的に垂直するとは、二つの部材の間に夾角があり、当該夾角が９０度±１０度であり、９０度±５度であることが好ましく、９０度±３度であることがさらに好ましいことを指す。
【００１９】
本考案において、導光フィルムはバックライトモジュールに使用でき、バックライトモジュールは液晶表示（Ｌｉｑｕｉｄ  Ｃｒｙｓｔａｌ  Ｄｉｓｐｌａｙ，  ＬＣＤ）パネルの光源の提供に使用でき、バックライトモジュールにおける各部材は、底面及び頂面を含み、底面及び頂面の定義は、ＬＣＤパネルを参考基準とし、各部材は、ＬＣＤパネルから離れる面を底面とし、ＬＣＤパネルに対向する面を頂面とする。また、本考案において、一つの部材は他の部材の上方に設置されるとは、当該他の部材の頂面又は当該他の部材の頂面の上方に設置されることを指す。
【００２０】
図１を参照すると、それは、本考案の第１の実施形態に係る導光フィルム１００の斜視図である。導光フィルム１００は、本体１１０及び光吸収構造層１２０を含む。本体１１０は、出光面１１１、底面１１２及び入光面１１３を含み、底面１１２は出光面１１１に対向し、入光面１１３は出光面１１１と底面１１２との間に接続されている。導光フィルム１００がバックライトモジュールに用いられる場合、導光フィルム１００は、光源からの光線を、入光面１１３から出光面１１１へ出射するようガイドするために用いられる。
【００２１】
光吸収構造層１２０は、底面１１２に設置され、光吸収構造層１２０は、ベース層１２１、複数の微細構造１２２及び複数の光吸収粒子１２３を含む。各微細構造１２２は、ベース層１２１の表面１２１ａから外方へ突起する。複数の光吸収粒子１２３は、少なくとも一組が各微細構造１２２に分散され、第１の実施形態において、複数の光吸収粒子１２３は、さらに一組がベース層１２１に分散され、且つ、複数の光吸収粒子１２３はベース層１２１及び微細構造１２２に実質的に均一に分散され、ベース層１２１及び微細構造１２２における光吸収粒子１２３の濃度を実質的に固定する。微細構造１２２は、光吸収構造層１２０の光吸収粒子１２３の含有量が入光面１１３から、入光面１１３から離れる方向（即ち、下記に説明の第１の方向Ｄ１）に沿って徐々に増加するように配置されている。本考案における「配置」とは、複数の微細構造１２２の配列方式、又は微細構造１２２自体の長さ、厚さ、形状等のパラメータの広義的な説明である。
【００２２】
詳しくは、本体１１０の材質は、ポリカーボネート（Ｐｏｌｙｃａｒｂｏｎａｔｅ，ＰＣ）であってもよく、光吸収構造層１２０の材質は、ＵＶ硬化性樹脂であってもよい。各微細構造１２２は、角形状の長いストリップの構造（Ｖｃｕｔ）であり、微細構造１２２の設置は、光線の反射角度を変更するのに有利であり、導光フィルム１００の出射の効率を向上することが可能である。導光フィルム１００は、第１の方向Ｄ１を定義し、第１の方向Ｄ１は、入光面１１３から、入光面１１３から離れる方向に沿って延伸し、各微細構造１２２は、延伸方向Ｅ１を定義し、延伸方向Ｅ１と第１の方向Ｄ１とは実質的に垂直し、微細構造１２２の分布密度は、入光面１１３から、入光面１１３から離れる方向に沿って徐々に増加し、即ち、微細構造１２２の分布密度は、第１の方向Ｄ１に沿って徐々に増加し、これによって、光吸収構造層１２０の光吸収粒子１２３の含有量は、入光面１１３から、入光面１１３から離れる方向（即ち、第１の方向Ｄ１）に沿って徐々に増加する。各微細構造１２２の横断面は二等辺三角形であるが、それは例示的なものであって、実際のニーズに応じて、各微細構造１２２は他の形状に配置でき、例えば、各微細構造１２２における入光面１１３に接近する辺長は、入光面１１３から離れる辺長よりも小さくてもよく、各微細構造１２２の横断面は二等辺三角形でない。
【００２３】
ベース層１２１の厚さがｔであり、微細構造１２２の突起高さがｈである場合、０．１≦ｈ／ｔ≦１．７の条件を満たす。よって、出射光の色の均一性の向上に有利である。好ましくは、０．３≦ｈ／ｔ≦１．０の条件を満たす。
【００２４】
第１の実施形態において、光吸収粒子１２３は青色光吸収粒子であってもよく、導光フィルム１００がバックライトモジュールに用いられ、且つ光源が白色光ＬＥＤである場合、ＬＥＤの角度による色変化（ｃｏｌｏｒ  ｏｖｅｒ  ａｎｇｌｅ，ＣＯＡ）の特性により発生される色差問題を解決できる。他の実施形態において、微細構造１２２がドットの形態として配置される場合（未図示）、光吸収粒子１２３は黄光吸収粒子であってもよい。言い換えると、導光フィルム１００は、配置された微細構造１２２の形態及び出射光の色の偏差の状況に基づいて、適切な光吸収粒子１２３を選択することが可能である。
【００２５】
図２を参照すると、それは、本考案の第２の実施形態に係る導光フィルム２００の斜視図である。導光フィルム２００は、本体２１０及び光吸収構造層２２０を含む。本体２１０は、出光面２１１、底面２１２及び入光面２１３を含み、底面２１２は出光面２１１に対向し、入光面２１３は出光面２１１と底面２１２との間に接続されている。光吸収構造層２２０は、底面２１２に設置され、光吸収構造層２２０は、ベース層２２１、複数の微細構造２２２及び複数の光吸収粒子２２３を含む。各微細構造２２２は、ベース層２２１の表面（未表記）から外方へ突起する。複数の光吸収粒子２２３は、少なくとも一組が各微細構造２２２に分散され、第２の実施形態において、複数の光吸収粒子２２３は、さらに一組がベース層２２１に分散され、且つ、複数の光吸収粒子２２３は、ベース層２２１及び微細構造２２２に実質的に均一に分散され、ベース層２２１及び微細構造２２２における光吸収粒子２２３の濃度は実質的に固定する。微細構造２２２は、光吸収構造層２２０の光吸収粒子２２３の含有量が入光面２１３から、入光面２１３から離れる方向（即ち、第１の方向Ｄ１）に沿って徐々に増加するように、配置されている。
【００２６】
詳しくは、第１の実施形態と比較して、第２の実施形態の微細構造２２２の分布密度は、第１の方向Ｄ１に沿って一定で変化しないが、各微細構造２２２の突起高さは、入光面２１３から、入光面２１３から離れる方向（即ち、第１の方向Ｄ１）に沿って徐々に増加し、更に詳しくは、入光面２１３に最も接近する微細構造２２２が第１の突起高さｈ１を有し、入光面２１３から最も離れる微細構造２２２が第２の突起高さｈ２を有し、即ち、第１の実施形態における突起高さｈは、第１の突起高さｈ１又は第２の突起高さｈ２であってもよく、第２の突起高さｈ２は第１の突起高さｈ１よりも大きく、これにより、光吸収構造層２２０の光吸収粒子２２３の含有量は、入光面２１３から、入光面２１３から離れる方向（即ち、第１の方向Ｄ１）に沿って徐々に増加する。
【００２７】
また、第２の実施形態の微細構造２２２は、ベース層２２１上に連続的に設置され、微細構造２２２の突起高さを徐々に増加し且つ連続的に設置する形態とすることによって、光吸収粒子２２３の含有量を第１の方向Ｄ１に沿って徐々に変化させ、これにより、導光フィルム２００を備えるバックライトモジュール（未図示）がより滑らかな調光効果を持つようにする。第２の実施形態の導光フィルム２００の詳細は、第１の実施形態の導光フィルム１００を参照できるため、ここでは説明を省略する。
【００２８】
図３を参照すると、それは、本考案の第３の実施形態に係る導光フィルム３００の斜視図である。導光フィルム３００は、本体３１０及び光吸収構造層３２０を含む。本体３１０は、出光面３１１、底面３１２及び入光面３１３を含み、底面３１２は出光面３１１に対向し、入光面３１３は出光面３１１と底面３１２との間に接続されている。光吸収構造層３２０は、底面３１２に設置され、光吸収構造層３２０は、ベース層３２１、複数の微細構造３２２及び複数の光吸収粒子３２３を含む。各微細構造３２２は、ベース層３２１の表面（未表記）から外方へ突起する。複数の光吸収粒子３２３は、少なくとも一組が各微細構造３２２に分散され、第３の実施形態において、複数の光吸収粒子３２３は、さらに一組がベース層３２１に分散され、且つ、複数の光吸収粒子３２３はベース層３２１及び微細構造３２２に実質的に均一に分散され、ベース層３２１及び微細構造３２２における光吸収粒子３２３の濃度は実質的に固定する。微細構造３２２は、光吸収構造層３２０の光吸収粒子３２３の含有量が入光面３１３から、入光面３１３から離れる方向（即ち、第１の方向Ｄ１）に沿って徐々に増加するように配置されている。
【００２９】
詳しくは、第１及び第２の実施形態と比較して、第３の実施形態の微細構造３２２の分布密度及び突起高さｈは、第１の方向Ｄ１に沿って一定で変化しないが、ベース層３２１の厚さは、入光面３１３から、入光面３１３から離れる方向（即ち、第１の方向Ｄ１）に沿って徐々に増加し、さらに詳しくは、ベース層３２１における入光面３１３に最も接近する一側に第１の厚さｔ１を有し、ベース層３２１における入光面３１３から最も離れる一側に第２の厚さｔ２を有し、即ち、第１の実施形態における厚さｔは、第１の厚さｔ１又は第２の厚さｔ２であってもよく、第２の厚さｔ２は第１の厚さｔ１よりも大きく、これにより、光吸収構造層３２０の光吸収粒子３２３の含有量は、入光面３１３から、入光面３１３から離れる方向（即ち、第１の方向Ｄ１）に沿って徐々に増加する。このようにして、出射光の色を均一に調整する効果に達することが可能である。
【００３０】
第３の実施形態の導光フィルム３００の他の詳細は、第１の実施形態の導光フィルム１００を参照できるため、ここでは説明を省略する。
【００３１】
図４を参照すると、それは、本考案の第４の実施形態に係る導光フィルム４００の斜視図である。導光フィルム４００は、本体４１０及び光吸収構造層４２０を含む。本体４１０は、出光面４１１、底面４１２及び入光面４１３を含み、底面４１２は出光面４１１に対向し、入光面４１３は出光面４１１と底面４１２との間に接続されている。光吸収構造層４２０は、底面４１２に設置され、光吸収構造層４２０は、ベース層４２１、複数の微細構造４２２及び複数の光吸収粒子４２３を含む。各微細構造４２２は、ベース層４２１の表面４２１ａから外方へ突起する。複数の光吸収粒子４２３は、少なくとも一組が各微細構造４２２に分散され、第４の実施形態において、複数の光吸収粒子４２３は、さらに一組がベース層４２１に分散され、且つ、複数の光吸収粒子４２３は、ベース層４２１及び微細構造４２２に実質的に均一に分散され、ベース層４２１及び微細構造４２２における光吸収粒子４２３の濃度は実質的に固定する。微細構造４２２は、光吸収構造層４２０の光吸収粒子４２３の含有量が入光面４１３から、入光面４１３から離れる方向（即ち、第１の方向Ｄ１）に沿って徐々に増加するように配置されている。
【００３２】
第４の実施形態において、各微細構造４２２は多面体構造（Ｖ−ｄｏｔ）であり、ここで、各微細構造４２２を六面体構造として例示するが、本考案はこれに限定されず、例えば、多面体構造は、四面体構造又は五面体構造であってもよい。微細構造４２２の分布密度は、入光面４１３から、入光面４１３から離れる方向（即ち、第１の方向Ｄ１）に沿って徐々に増加している。これによって、光吸収構造層４２０の光吸収粒子４２３の含有量は、入光面４１３から、入光面４１３から離れる方向（即ち、第１の方向Ｄ１）に沿って徐々に増加している。第１の実施形態と比較して、多面体構造は、良い光線指向性を有し、特に、正面から出射する効果に達することが可能である。
【００３３】
第４の実施形態の導光フィルム４００の他の詳細は、第１の実施形態の導光フィルム１００を参照できるため、ここでは説明を省略する。
【００３４】
図５を参照すると、それは、本考案の第５の実施形態に係るバックライトモジュール１０の斜視図である。バックライトモジュール１０は、光源モジュール５００及び導光フィルム４００を含み、光源モジュール５００は、少なくとも一つの光源５１０を含み、光源５１０は、入光面４１３に対応して設置され、光源５１０の光線（未図示）は、入光面４１３から導光フィルム４００へ進入した後、出光面４１１から導光フィルム４００を透過し、これによって、バックライトモジュール１０の出射光の色の均一性の向上に有利である。詳しくは、光源モジュール５００は、白色光ＬＥＤライトバーであってもよく、光源５１０は、白色光ＬＥＤであってもよい。また、バックライトモジュール１０における導光フィルム４００を、例えば第１の実施形態乃至第３の実施形態の導光フィルム１００、２００、３００のような他の本考案に係る導光フィルムと置き換えてもよい。
【００３５】
図６を参照すると、それは、本考案の第６の実施形態に係る表示装置１の斜視図である。表示装置１は、バックライトモジュール１０及び表示パネル２０を含み、表示パネル２０は、バックライトモジュール１０の上方に設置されている。バックライトモジュール１０は、表示パネル２０の光線を提供するために用いられ、表示パネル２０はＬＣＤパネルであってもよく、バックライトモジュール１０の詳細は、上記の説明を参照できるため、ここでは説明を省略する。
【００３６】
図７を参照すると、それは、導光フィルムの微細構造の突起高さとベース層の厚さを異なる比率で示した色差変化図であり、ここで、横座標は、第１の方向Ｄ１に沿った導光フィルムの全長に対する導光フィルムの測定位置の比率であり、縦座標は、Ｕ’Ｖ’色度座標のＶ’数値である。詳しくは、図７の導光フィルムは、第１の実施形態の導光フィルム１００の構造配置を利用し、即ち、微細構造はＶ−ｃｕｔであり、且つ、微細構造の分布密度は、入光面から、入光面から離れる方向に沿って徐々に増加し、微細構造の突起高さｈとベース層の厚さｔを異なる比率で配置し、それぞれがｈ／ｔ＝０．１、０．３、０．５、１．０、１．７、３．５であり、異なるｈ／ｔの比率を有する導光フィルムを測定し、それは第１の方向Ｄ１に沿ったＵ’Ｖ’色度座標のＶ’数値である。また、比較例として他の試験を行い、比較例は、第１の実施形態の導光フィルム１００の構造配置を利用するが、光吸収構造層へ光吸収粒子を添加せず、比較例は、ｈ／ｔ＝３．５である。図７から分かるように、光吸収粒子が添加されていない場合、導光フィルムにおける入光面から離れる位置が、入光面に接近する位置に比べて青色がかる色差を呈する。本考案の第１の実施形態には、光吸収粒子を有する導光フィルムが開示され、ここで、ｈ／ｔが０．１〜１．７の範囲内にある場合、そのＶ’数値の第１の方向Ｄ１に沿った変化量はいずれも±０．００５内にあり、そのＶ’数値はほとんど差がなく、当該導光フィルムにおける入光面から離れる位置に青色がかる色差が調整できることを示し、ｈ／ｔが０．３〜１．０の範囲内にある場合、そのＶ’数値の第１の方向Ｄ１に沿った変化量は何れも±０．００２内にあり、色差の問題を大幅に改善できる。図７から分かるように、ベース層の厚さがｔであり、微細構造の突起高さがｈである場合、０．１≦ｈ／ｔ≦１．７の条件を満たし、この場合、出射光の色の均一性の向上に有利である。ここで、ｈ／ｔの比率が０．１未満である場合、出射光の色をわずかに調整する効果は得られるが、十分ではなく、ｈ／ｔの比率が１．７を超える場合、色差調整の効果で黄色がかった色差になる問題がある。
【００３７】
従来技術と比較して、本考案の導光フィルムは、微細構造及び光吸収粒子の配置関係により、バックライトモジュールに応用される場合、バックライトモジュールの出射光の色の均一性の向上に有利であり、さらに表示装置の映像品質を向上することが可能である。
【００３８】
上記は、本考案の好ましい実施例に過ぎず、本考案の請求の範囲に従って行った同等の変更及び修正は、いずれも本考案の請求の範囲内に属する。
【符号の説明】
【００３９】
１…表示装置
１０…バックライトモジュール
２０…表示パネル
１００，２００，３００，４００…導光フィルム
１１０，２１０，３１０，４１０…本体
１１１，２１１，３１１，４１１…出光面
１１２，２１２，３１２，４１２…底面
１１３，２１３，３１３，４１３…入光面
１２０，２２０，３２０，４２０…光吸収構造層
１２１，２２１，３２１，４２１…ベース層
１２１ａ，４２１ａ…表面
１２２，２２２，３２２，４２２…微細構造
１２３，２２３，３２３，４２３…光吸収粒子
５００…光源モジュール
５１０…光源
ｈ…微細構造の突起高さ
ｈ１…第１の突起高さ
ｈ２…第２の突起高さ
ｔ…ベース層の厚さ
ｔ１…第１の厚さ
ｔ２…第２の厚さ
Ｄ１…第１の方向
Ｅ１…延伸方向
【図１】
0003231528.tif 000003
【図２】
0003231528.tif 000004
【図３】
0003231528.tif 000005
【図４】
0003231528.tif 000006
【図５】
0003231528.tif 000007
【図６】
0003231528.tif 000008
【図７】
0003231528.tif 000009